(57)【要約】  発光装置（２０）は、第１発光部材（１０ａ）及び第２発光部材（１０ｂ）を備えている。第１発光部材（１０ａ）及び第２発光部材（１０ｂ）のそれぞれは、第１面（１２）及び第２面（１４）を有しており、光は第１面（１２）から発せられる。第１発光部材（１０ａ）は、第１領域（１６ａ）及び第２領域（１６ｂ）を有しており、第１発光部材（１０ａ）の第１領域（１６ａ）は、第２発光部材（１０ｂ）の第２面（１４）側に位置しており、第１発光部材（１０ａ）の第２領域（１６ｂ）は、第２発光部材（１０ｂ）の第１面（１２）側に位置している。
2018212035.tif 000002
【特許請求の範囲】
【請求項１】
光が発せられる第１面と、前記第１面の反対側の第２面と、第１電極、有機層及び第２電極と、をそれぞれ有する第１発光部材及び第２発光部材を備え、
前記第１発光部材は、前記第２発光部材の前記第２面側に位置する第１領域と、前記第２発光部材の前記第１面側に位置する第２領域と、を含む発光装置。
【請求項２】
請求項１に記載の発光装置において、
前記第１発光部材及び前記第２発光部材のそれぞれは、前記第１面を有する第１基板と、前記第２面を有する第２基板と、を有する発光装置。
【請求項３】
請求項２に記載の発光装置において、
前記第１発光部材及び前記第２発光部材のそれぞれの前記第２基板は、光反射性を有する材料を含む発光装置。
【請求項４】
請求項１から３までのいずれか一項に記載の発光装置において、
前記第２発光部材の前記第２面は、前記第１発光部材の前記第１領域における前記第１面に対向する第３領域を含む発光装置。
【請求項５】
請求項１から４までのいずれか一項に記載の発光装置において、
前記第２発光部材の前記第１面は、前記第１発光部材の前記第２領域における前記第２面に対向する第４領域を含む発光装置。
【請求項６】
請求項１から５までのいずれか一項に記載の発光装置において、
前記第１発光部材は、前記第１領域から前記第２領域にかけて連続している発光装置。
【請求項７】
請求項１から６までのいずれか一項に記載の発光装置において、
前記第１発光部材は、前記第１領域から前記第２領域にかけて前記第２発光部材と交差している発光装置。
【請求項８】
請求項１から７までのいずれか一項に記載の発光装置において、
前記第１発光部材は、第１端部と、第２端部と、を有し、前記第１端部から前記第２端部にかけて延在しており、
前記第１発光部材の前記第１端部と前記第２端部は、隙間を挟んで互いに対向している発光装置。
【請求項９】
請求項１から８までのいずれか一項に記載の発光装置において、
前記第１領域を発光させない発光装置。
【請求項１０】
請求項１から９までのいずれか一項に記載の発光装置において、
前記第２領域に重なる前記第２発光部材の一部を発光させない発光装置。
【発明の詳細な説明】
【技術分野】
【０００１】
本発明は、発光装置に関する。
【背景技術】
【０００２】
近年、立体感のある発光装置が開発されており、特に特許文献１には、ＥＬ（エレクトロルミネッセンス）シートを有する発光装置について記載されている。このＥＬシートは、複数の切り込みを有しており、各切り込みは渦巻き状に延伸している。したがって、このＥＬシートを上下方向に引き延ばすと、ＥＬシートのうちの隣り合う切り込みの間の部分がらせん状に延伸するようになる。【０００３】
特許文献２にも、立体感のある発光装置について記載されており、特に特許文献２の発光装置は、花の形状を有している。発光装置は、複数の光拡散板及び複数の光源を有しており、複数の光源のそれぞれは、複数の光拡散板のそれぞれに取り付けられている。複数の光拡散板のそれぞれは、花弁の形状を有しており、光源から発せられた光は、光拡散板によって拡散される。【０００４】
特許文献３にも、立体感のある発光装置について記載されており、特に特許文献３では、合わせ鏡を利用している。発光装置は、ハーフミラー及び反射ミラーを有しており、光の反射がハーフミラーと反射ミラーの間で繰り返される。したがって、反射ミラーに映る複数の像が反射ミラーの奥に向かって並ぶように映り、奥行き感を与えることができる。
【先行技術文献】
【特許文献】
【０００５】
【特許文献１】特開２０１３−２０１１０５号公報
【特許文献２】特開２０１４−９１８８５号公報
【特許文献３】特開２０１３−１３１４５４号公報
【発明の概要】
【発明が解決しようとする課題】
【０００６】
本発明者は、特許文献１から３までの方法とは異なる方法によって、立体感のある発光装置を製造することを検討した。特に本発明者は、有機発光ダイオード（ＯＬＥＤ）を利用することを検討した。一般に、ＯＬＥＤの形状の自由度は高く、本発明者は、ＯＬＥＤパネルの形状の自由度を有効に利用することで、発光装置に立体感を与えることについて検討した。【０００７】
本発明が解決しようとする課題としては、立体感のある発光装置を提供することが一例として挙げられる。
【課題を解決するための手段】
【０００８】
請求項１に記載の発明は、
光が発せられる第１面と、前記第１面の反対側の第２面と、第１電極、有機層及び第２電極と、をそれぞれ有する第１発光部材及び第２発光部材を備え、
前記第１発光部材は、前記第２発光部材の前記第２面側に位置する第１領域と、前記第２発光部材の前記第１面側に位置する第２領域と、を含む発光装置である。
【図面の簡単な説明】
【０００９】
上述した目的、およびその他の目的、特徴および利点は、以下に述べる好適な実施の形態、およびそれに付随する以下の図面によってさらに明らかになる。【００１０】
【図１】実施形態に係る発光装置を示す斜視図である。
【図２】図１に示した発光装置を図１とは異なる方向から見た斜視図である。
【図３】図１及び図２に示した発光部材を発光部材の第１面側から見た平面図である。
【図４】図１及び図２に示した発光部材を発光部材の第２面側から見た平面図である。
【図５】図４から第２電極を取り除いた図である。
【図６】図５から絶縁層を取り除いた図である。
【図７】図６から第１電極を取り除いた図である。
【図８】図４のＡ−Ａ断面図である。
【図９】図１の変形例を示す図である。
【図１０】図８の変形例を示す図である。
【図１１】図１から図８に示した発光部材の製造に用いられるマスクを示す図である。
【図１２】変形例１に係る発光装置を示す図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
図１は、実施形態に係る発光装置２０を示す斜視図である。図２は、図１に示した発光装置２０を図１とは異なる方向から見た斜視図である。図３は、図１及び図２に示した発光部材１０を発光部材１０の第１面１２側から見た平面図である。図４は、図１及び図２に示した発光部材１０を発光部材１０の第２面１４側から見た平面図である。図５は、図４から第２電極１３０を取り除いた図である。図６は、図５から絶縁層１５０を取り除いた図である。図７は、図６から第１電極１１０を取り除いた図である。図８は、図４のＡ−Ａ断面図である。
【００１３】
図１を用いて発光装置２０の概要について説明する。発光装置２０は、複数の発光部材１０、特に図１に示す例では、第１発光部材１０ａ及び第２発光部材１０ｂを備えている。第１発光部材１０ａ及び第２発光部材１０ｂのそれぞれは、第１面１２及び第２面１４を有しており、光は第１面１２から発せられる。第１発光部材１０ａは、第１領域１６ａ及び第２領域１６ｂを有しており、第１発光部材１０ａの第１領域１６ａは、第２発光部材１０ｂの第２面１４側に位置しており、第１発光部材１０ａの第２領域１６ｂは、第２発光部材１０ｂの第１面１２側に位置している。
【００１４】
上述した構成によれば、発光装置２０に立体感を与えることができる。具体的には、上述した構成においては、第１発光部材１０ａの第１領域１６ａは、第２発光部材１０ｂの第２面１４側に位置しており、第１発光部材１０ａの第２領域１６ｂは、第２発光部材１０ｂの第１面１２側に位置している。つまり、第１発光部材１０ａの第１領域１６ａ及び第２領域１６ｂは、第２発光部材１０ｂの奥行き方向において互いに異なる位置にある。したがって、発光装置２０は、立体感を有するようになる。また、複数の発光部材１０によるデザインの自由度が高い発光装置２０を提供することが可能である。
【００１５】
特に図１に示す例においては、第１発光部材１０ａは、第１領域１６ａから第２領域１６ｂにかけて第２発光部材１０ｂと交差している。これによって、第１発光部材１０ａによる第１領域１６ａから第２領域１６ｂにかけての奥行き方向の延伸を際立たせることができる。したがって、発光装置２０の立体感を際立たせることができる。
【００１６】
発光装置２０は、様々な用途に応用することができる。一例において、発光装置２０は、自動車のテールランプに用いることができる。他の例において、発光装置２０は、照明装置または表示装置に用いることもできる。
【００１７】
次に、図１を用いて、発光装置２０の詳細について説明する。
【００１８】
第１発光部材１０ａ及び第２発光部材１０ｂは、互いに連結している。具体的には、各発光部材１０は、開口１８を画定するように延在している。各発光部材１０は、隙間を挟んで互いに対向する２つの端部、すなわち、第１端部１８ａ及び第２端部１８ｂを有しており、第１端部１８ａから第２端部１８ｂにかけて延在している。開口１８は、第１端部１８ａと第２端部１８ｂの間の隙間を介して発光部材１０の外側の空間と通じている。したがって、第１発光部材１０ａにおける第１端部１８ａと第２端部１８ｂの間の隙間から第２発光部材１０ｂを第１発光部材１０ａの開口１８に通すことができるとともに、第２発光部材１０ｂにおける第１端部１８ａと第２端部１８ｂの間の隙間から第１発光部材１０ａを第２発光部材１０ｂの開口１８に通すことができる。
【００１９】
各発光部材１０は、ハートの形状を有している。特に図１に示す例では、発光部材１０は、内縁１８ｃ及び外縁１８ｄを有しており、内縁１８ｃは、開口１８を画定するようにハートの形状に沿って延伸しており、外縁１８ｄは、内縁１８ｃに沿って発光部１４０をハートの形状に画定している。
【００２０】
発光部材１０は、発光部１４０を有しており、発光部１４０は、発光部材１０と同様にして、ハートの形状を有している。特に図１に示す例では、発光部１４０は、第１端部１８ａから第２端部１８ｂにかけて延在しており、発光部１４０の外縁は、第１端部１８ａ、第２端部１８ｂ、内縁１８ｃ及び外縁１８ｄに沿っている。
【００２１】
図１に示す例では、２つの発光部材１０が互いに連結しているが、他の例では、３つ以上の発光部材１０が連結していてもよい。
【００２２】
次に、図２を用いて、発光装置２０の詳細について説明する。
【００２３】
第１発光部材１０ａは、第１領域１６ａから第２領域１６ｂにかけて第２発光部材１０ｂの開口１８を経由して連続している。これによって、第１発光部材１０ａによる第１領域１６ａから第２領域１６ｂにかけての奥行き方向の延伸を際立たせることができる。したがって、発光装置２０の立体感を際立たせることができる。
【００２４】
第２発光部材１０ｂの第２面１４は、第３領域１６ｃを含んでおり、第３領域１６ｃは、第１発光部材１０ａの第１領域１６ａにおける第１面１２と対向している。したがって、第１発光部材１０ａの第１領域１６ａにおける発光面（すなわち、第１面１２）は、第２発光部材１０ｂの発光面（すなわち、第１面１２）の背後に隠れるようになる。これによって、発光装置２０の立体感を際立たせることができる。
【００２５】
第２発光部材１０ｂの第１面１２は、第４領域１６ｄを含んでおり、第４領域１６ｄは、第１発光部材１０ａの第２領域１６ｂにおける第２面１４と対向している。したがって、第２発光部材１０ｂの第４領域１６ｄにおける発光面（すなわち、第１面１２）は、第１発光部材１０ａの発光面（すなわち、第１面１２）の背後に隠れるようになる。これによって、発光装置２０の立体感を際立たせることができる。
【００２６】
特に図２に示す例では、各発光部材１０は、部分的に、湾曲し、又は折れ曲がっている（つまり、湾曲部又は折れ曲がり部を有している）。したがって、各発光部材１０は、立体感を有するようになっている。
【００２７】
さらに、図２に示す例では、第１発光部材１０ａの第１領域１６ａと第２発光部材１０ｂの第３領域１６ｃは、隙間を挟んで互いに離間しており、第１発光部材１０ａの第２領域１６ｂと第２発光部材１０ｂの第４領域１６ｄは、隙間を挟んで互いに離間している。これによって、第１発光部材１０ａと第２発光部材１０ｂの間の摩擦の発生を抑えることができ、摩擦による発光部材１０の損傷を抑えることができる。他の例においては、第１発光部材１０ａと第２発光部材１０ｂを互いに接触させてもよい。第１発光部材１０ａと第２発光部材１０ｂを互いに接触させて第１発光部材１０ａの位置及び第２発光部材１０ｂの位置を確実に固定することで、一方の発光部材１０がもう一方の発光部材１０に対して移動しないようにすることができる。
【００２８】
次に、図３を用いて、発光部１４０の詳細について説明する。
【００２９】
発光部１４０は、複数のセクション、特に図３に示す例では、第１セクション１４２及び第２セクション１４４に分離されている。第１セクション１４２及び第２セクション１４４は、電気的に互いに絶縁されており、したがって、第１セクション１４２における発光のオン又はオフの切り替え及び第２セクション１４４における発光のオン又はオフの切り替えは、互いに独立に制御することができる。第１セクション１４２と第２セクション１４４を同じ発光色として点灯を制御しても良く、第１セクション１４２と第２セクション１４４を異なる発光色として点灯を制御しても良い。
【００３０】
図３に示す例において、発光部１４０は、内縁１８ｃ及び外縁１８ｄのうちの一方から他方に向かう方向に沿って複数のセクション（第１セクション１４２及び第２セクション１４４）に分離されている。他の例において、発光部１４０は、第１端部１８ａ及び第２端部１８ｂのうちの一方から他方にかけての発光部材１０の長さ方向に沿って複数のセクションに分離されていてもよい。さらに他の例において、発光部１４０は、複数のセクションに分離されていなくてもよい。
【００３１】
次に、図４から図７を用いて、発光部材１０の平面レイアウトについて説明する。
【００３２】
発光部材１０は、基板１００、２つの第１電極１１０、有機層１２０、第２電極１３０、絶縁層１５０、２つの導電部１７０（導電部１７０ａ及び導電部１７０ｂ）及び封止層２００を備えている。
【００３３】
図７を用いて、基板１００及び２つの導電部１７０の詳細を説明する。
【００３４】
基板１００は、発光部材１０の形状を画定している。具体的には、基板１００は、第１端部１０８ａ、第２端部１０８ｂ、内縁１０８ｃ及び外縁１０８ｄを有している。基板１００の第１端部１０８ａ、第２端部１０８ｂ、内縁１０８ｃ及び外縁１０８ｄは、それぞれ、発光部材１０の第１端部１８ａ、第２端部１８ｂ、内縁１８ｃ及び外縁１８ｄとなっている。
【００３５】
導電部１７０ａは、基板１００の内縁１０８ｃに沿って延伸しており、導電部１７０ｂは、基板１００の外縁１０８ｄに沿って延伸している。導電部１７０は、低抵抗材料を含んでおり、かつ複数の位置（すなわち、第１端子１１２）から電位を供給されている。したがって、導電部１７０の延伸方向における電圧降下を抑えることができる。特に図７に示す例では、導電部１７０ａは、基板１００の第１端部１０８ａに沿って配置された第１端子１１２、基板１００の内縁１０８ｃに沿って配置された第１端子１１２及び基板１００の第２端部１０８ｂに沿って配置された第１端子１１２から電位を供給されることができ、導電部１７０ｂは、基板１００の第１端部１０８ａに沿って配置された第１端子１１２、基板１００の外縁１０８ｄに沿って配置された第１端子１１２及び基板１００の第２端部１０８ｂに沿って配置された第１端子１１２から電位を供給されることができる。
【００３６】
導電部１７０の上述したレイアウトによれば、発光部材１０の美観が導電部１７０によって損なわれることを防ぐことができる。具体的には、導電部１７０は、遮光性材料を含んでおり、透光性を有していない。したがって、仮に、導電部１７０が発光部１４０と重なると、発光部材１０を発光させたとき、発光部１４０のうちの導電部１７０と重なる領域は、導電部１７０によって光が遮断されるために非発光部となり、発光部材１０の美観を損なうおそれがある。図７に示す例では、発光部１４０と重なる導電部が設けられておらず、特に、導電部１７０ａ及び導電部１７０ｂは、発光部１４０の外縁に沿って延伸している。したがって、発光部材１０の美観が導電部１７０によって損なわれることを防ぐことができる。
【００３７】
図６を用いて、２つの第１電極１１０の詳細を説明する。
【００３８】
２つの第１電極１１０は、基板１００の内縁１０８ｃ及び外縁１０８ｄのうちの一方から他方に向かう方向に並んでいる。内縁１０８ｃ側の第１電極１１０は、導電部１７０ａ（図７）に電気的に接続しており、外縁１０８ｄ側の第１電極１１０は、導電部１７０ｂ（図７）に電気的に接続している。
【００３９】
第１電極１１０の上述したレイアウトによれば、発光部１４０の第１セクション１４２及び第２セクション１４４（例えば、図５）を互いに電気的に絶縁させることができる。具体的には、２つの第１電極１１０は、電気的に互いに絶縁されている。内縁１０８ｃ側の第１電極１１０は、発光部１４０の第１セクション１４２を構成し（例えば、図５）、外縁１０８ｄ側の第１電極１１０は、発光部１４０の第２セクション１４４を構成する（例えば、図５）。したがって、第１セクション１４２及び第２セクション１４４を電気的に互いに絶縁させることができる。
【００４０】
第１電極１１０の上述したレイアウトによれば、発光部１４０の輝度のばらつきを抑えることができる。具体的には、第１電極１１０は、透光性を有する材料を選択するために比較的に高抵抗材料、すなわち、電圧降下の生じやすい材料を含んでいる。図６に示す例では、２つの第１電極１１０を内縁１０８ｃ及び外縁１０８ｄのうちの一方から他方に向かう方向に並べることで、内縁１０８ｃ及び外縁１０８ｄのうちの一方から他方に向かう方向における各第１電極１１０の長さを短くすることができる。したがって、内縁１０８ｃ及び外縁１０８ｄのうちの一方から他方に向かう方向における第１電極１１０の電圧降下を抑えることができ、これによって、発光部１４０の輝度のばらつきを抑えることができる。
【００４１】
図５を用いて、絶縁層１５０及び有機層１２０の詳細を説明する。
【００４２】
絶縁層１５０は、複数の開口、すなわち、第１開口１５２及び第２開口１５４を有している。第１開口１５２は、基板１００の内縁１０８ｃ側の第１電極１１０を露出しており、第２開口１５４は、基板１００の外縁１０８ｄ側の第１電極１１０を露出している。このようにして、第１開口１５２は、発光部１４０の第１セクション１４２を画定し、第２開口１５４は、発光部１４０の第２セクション１４４を画定している。
【００４３】
有機層１２０は、基板１００の内縁１０８ｃ及び外縁１０８ｄのうちの一方から他方に亘って広がっており、特に、基板１００の内縁１０８ｃ側の第１電極１１０及び基板１００の外縁１０８ｄ側の第１電極１１０の双方を覆っている。
【００４４】
図４を用いて、第２電極１３０及び封止層２００の詳細を説明する。
【００４５】
第２電極１３０は基板１００の内縁１０８ｃ及び外縁１０８ｄのうちの一方から他方に亘って広がっており、特に、基板１００の内縁１０８ｃ側の第１電極１１０（図５及び図６）及び基板１００の外縁１０８ｄ側の第１電極１１０（図５及び図６）の双方を覆っている。
【００４６】
第２電極１３０は、複数の位置（すなわち、第２端子１３２）から電位を供給されている。したがって、第２電極１３０内での電位のばらつきを抑えることができる。特に図４に示す例では、第２電極１３０は、基板１００の第１端部１０８ａに沿って配置された第２端子１３２、基板１００の内縁１０８ｃに沿って配置された第２端子１３２、基板１００の第２端部１０８ｂに沿って配置された第２端子１３２及び基板１００の外縁１０８ｄに沿って配置された第２端子１３２から電位を供給されることができる。
【００４７】
封止層２００は、第２電極１３０の外側まで広がっており、封止層２００の外縁は、基板１００の第１端部１０８ａ、内縁１０８ｃ、第２端部１０８ｂ及び外縁１０８ｄに沿って延伸している。
【００４８】
次に、図８を用いて、発光部材１０の断面の詳細について説明する。
【００４９】
発光部材１０は、基板１００、第１電極１１０、有機層１２０、第２電極１３０、絶縁層１５０、導電部１７０、封止層２００、支持基板３００及び接着層３１０を備えている。
【００５０】
基板１００（第１基板）は、第１面１０２及び第２面１０４を有している。第１電極１１０、有機層１２０及び第２電極１３０は、基板１００の第１面１０２から順に重なっており、発光部１４０を構成している。第２面１０４は、第１面１０２の反対側にあり、発光部材１０の第１面１２となっている。つまり、発光部材１０は、ボトムエミッションタイプのＯＬＥＤパネルであり、基板１００の第１面１０２側の発光部１４０から生じた光は、基板１００を透過して、基板１００の第１面１０２（発光部材１０の第１面１２）から出射される。すなわち、発光部材１０の第１面１０２から光が発せられる。
【００５１】
他の例において、発光部材１０は、トップエミッションタイプのＯＬＥＤパネルであってもよい。この例において、発光部１４０から生じた光は、発光部材１０の第２面１４から出射される。以下、本実施形態では、発光部材１０は、ボトムエミションタイプのＯＬＥＤパネルであるとして説明を行う。
【００５２】
基板１００は、可撓性を有している。したがって、図２に示したように、発光部材１０（つまり、基板１００）を部分的に、湾曲させ、又は折り曲げることができる。
【００５３】
基板１００は、透光性を有する絶縁材料を含んでいる。一例において、基板１００は、ガラス基板である。他の例において、基板１００は、樹脂基板であってもよく、ＰＥＮ（ポリエチレンナフタレート）、ＰＥＳ（ポリエーテルサルホン）、ＰＥＴ（ポリエチレンテレフタラート）又はポリイミドを含んでいてもよい。基板１００の第１面１０２及び第２面１０４の少なくとも一方には、無機バリア層（例えば、ＳｉＮｘ層、ＳｉＯＮ層、ＳｉＯ２層、Ａｌ２Ｏ３層又はＨｆＯ層）が形成されていてもよい。
【００５４】
第１電極１１０は、透光性及び導電性を有する材料、一例において、金属酸化物、より具体的には、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）又はＺｎＯ（Ｚｉｎｃ  Ｏｘｉｄｅ）を含んでいる。他の例において、第１電極１１０は、導電性有機材料、より具体的には、カーボンナノチューブ又はＰＥＤＯＴ／ＰＳＳを含んでいてもよい。
【００５５】
有機層１２０は、有機エレクトロルミネッセンス（ＥＬ）により光を発することができる。一例において、有機層１２０は、正孔注入層（ＨＩＬ）、正孔輸送層（ＨＴＬ）、発光層（ＥＭＬ）、電子輸送層（ＥＴＬ）及び電子注入層（ＥＩＬ）を含んでいる。第１電極１１０からＨＩＬ及びＨＴＬを経由して正孔がＥＭＬに注入され、第２電極１３０からＥＩＬ及びＥＴＬを経由して電子がＥＭＬに注入され、正孔及び電子がＥＭＬにおいて再結合して光が発せられる。
【００５６】
第２電極１３０は、光反射性及び導電性を有する材料、一例において、金属、より具体的には、Ａｌ、Ａｕ、Ａｇ、Ｐｔ、Ｍｇ、Ｓｎ、Ｚｎ及びＩｎからなる群の中から選択される金属又はこの群から選択される金属の合金を含んでいる。
【００５７】
絶縁層１５０は、発光部１４０を画定している。具体的には、発光部１４０の第１セクション１４２及び第２セクション１４４のそれぞれは、第１電極１１０、有機層１２０及び第２電極１３０の積層体を含んでいる。特に図８に示す例では、絶縁層１５０の第１開口１５２内において、第１電極１１０、有機層１２０及び第２電極１３０が順に重ねられて第１セクション１４２を構成しており、絶縁層１５０の第２開口１５４内において、第１電極１１０、有機層１２０及び第２電極１３０が順に重ねられて第２セクション１４４を構成している。
【００５８】
絶縁層１５０は、有機材料、より具体的には、感光性樹脂の硬化物（例えば、ポリイミド）を含んでいる。つまり、絶縁層１５０は、感光性樹脂を光（例えば、紫外線）によって硬化させることで形成することができる。他の例において、絶縁層１５０は、無機材料、例えば、ＳｉＯ２又はＳｉＯＮを含んでいてもよい。
【００５９】
導電部１７０は、基板１００の第１面１０２側に位置していて、第１電極１１０によって覆われている。導電部１７０は、第１電極１１０に含まれる材料よりも低抵抗の材料を含んでいる。したがって、導電部１７０は、第１電極１１０の補助電極として機能することができる。他の例において、導電部１７０は、第１電極１１０によって覆われていなくてもよく、第１電極１１０上にあって絶縁層１５０によって覆われていてもよい。
【００６０】
導電部１７０は、低抵抗材料、一例において、金属、より具体的には、Ａｌ、Ａｇ、Ｍｏからなる群の中から選択される金属又はこの群から選択される金属の合金を含んでいる。一の詳細な例において、導電部１７０は、ＡＰＣ（ＡｇＰｄＣｕ）を含んでいる。他の詳細な例において、導電部１７０は、ＭＡＭ（Ｍｏ／Ａｌ／Ｍｏ）、Ｎｉ／Ａｌ／Ｎｉ又はＣｒ／Ａｌ／Ｃｒであってもよい。
【００６１】
封止層２００は、基板１００の第１面１０２及び発光部１４０を封止している。特に図８に示す例では、封止層２００は、絶縁層１５０の外側において、基板１００の第１面１０２に接している。したがって、有機層１２０及び第２電極１３０を劣化させる物質（例えば、水又は空気）が絶縁層１５０の側方から侵入することを抑えることができる。
【００６２】
封止層２００は、一例において、無機バリア層、より具体的には、ＳｉＮｘ、ＳｉＯＮ、Ａｌ２Ｏ３、ＴｉＯ２、ＳｉＯ２及びＳｉＯＣの少なくとも一つを含んでいる。無機バリア層は、一例において、ＡＬＤ（Ａｔｏｍｉｃ  Ｌａｙｅｒ  Ｄｅｐｏｓｉｔｉｏｎ）、スパッタ又はＣＶＤ（Ｃｈｅｍｉｃａｌ  Ｖａｐｏｒ  Ｄｅｐｏｓｉｔｉｏｎ）によって形成することができる。
【００６３】
支持基板３００は、基板１００の形状を支持するための部材として機能している。基板１００は、可撓性に優れており、したがって、図２に示したように、基板１００を部分的に、湾曲させ、又は折り曲げることができる。一方、基板１００はその可撓性によって容易に変形する。したがって、基板１００の形状を一定に保つため、ある程度硬質な部材、すなわち、支持基板３００が必要となる。
【００６４】
支持基板３００は、基板１００の第１面１０２及び発光部１４０を封止するための部材（封止基板）としてさらに機能していてもよい。
【００６５】
支持基板３００（第２基板）は、第１面３０２及び第２面３０４を有している。支持基板３００は、第１面３０２が発光部１４０を挟んで基板１００の第１面１０２に対向するように接着層３１０を介して基板１００に取り付けられている。第２面３０４は、第１面３０２の反対側にあって、発光部材１０の第２面１４となっている。
【００６６】
一例において、支持基板３００は、光反射性を有する材料（例えば、Ａｌ）を含むようにしてもよい。この例においては、図２から明らかなように、第１発光部材１０ａの第１領域１６ａにおける第１面１２が第２発光部材１０ｂの支持基板３００と対向し、第２発光部材１０ｂの第４領域１６ｄにおける第１面１２が第１発光部材１０ａの支持基板３００と対向するようになる。したがって、第１発光部材１０ａの第１領域１６ａにおける第１面１２から発せられた光は、第２発光部材１０ｂの支持基板３００によって反射させることができ、第２発光部材１０ｂの第４領域１６ｄにおける第１面１２から発せられた光は、第１発光部材１０ａの支持基板３００によって反射させることができる。したがって、第１面１２以外からも光を取り出すことが可能であり、光の拡散性を有する発光装置２０が提供できる。
【００６７】
図９は、図１の変形例を示す図である。図９に示すように、２つの発光部材１０のうちの一方、特に図９に示す例では第１発光部材１０ａは、開口１８を第１発光部材１０ａの外部につなぐための隙間を有していなくてもよい。図９に示す例においては、第２発光部材１０ｂにおける第１端部１８ａと第２端部１８ｂの間の隙間から第１発光部材１０ａを第２発光部材１０ｂの開口１８に通すことができる。
【００６８】
図１０は、図８の変形例を示す図である。図１０に示す例において、発光部材１０は、封止層２００（図８）に代えて、封止部２１０、接着層２１２及び乾燥剤２１４を備えている。封止部２１０は、金属基板、樹脂基板又はガラス基板であり、封止部２１０の端部は折り曲げられている。封止部２１０は、接着層２１２を介して基板１００の第１面１０２に取り付けられており、発光部１４０を覆っている。乾燥剤２１４は、封止部２１０と接着層２１２の間に位置している。
【００６９】
図１１は、図１から図８に示した発光部材１０の製造に用いられるマスク４００を示す図である。一例において、図１から図８に示した発光部材１０は、以下のように製造することができる。
【００７０】
まず、基板１００を準備する。基板１００は、発光部１４０の形成前に、図１から図８に示した形状に加工してもよいし、又は発光部１４０の形成後に、図１から図８に示した形状に加工してもよい。
【００７１】
次いで、基板１００の第１面１０２側に第１端子１１２、第２端子１３２及び導電部１７０を形成する。一例において、第１端子１１２、第２端子１３２及び導電部１７０は、スパッタにより堆積された導電層をパターニングすることによって形成することができる。
【００７２】
次いで、基板１００の第１面１０２側に第１電極１１０を形成する。一例において、第１電極１１０は、透明導電層をパターニングすることによって形成することができる。
【００７３】
次いで、基板１００の第１面１０２側及び第１電極１１０の一部を覆うように絶縁層１５０を形成する。一例において、絶縁層１５０は、感光性樹脂をパターニングすることによって形成することができる。
【００７４】
次いで、第１電極１１０及び絶縁層１５０を覆うように有機層１２０を形成する。一例において、有機層１２０は、塗布プロセスによって形成することができる。他の例において、有機層１２０は、マスク（図１１を用いて詳細を後述する。）を用いた蒸着によって形成することもできる。
【００７５】
次いで、有機層１２０を覆うように第２電極１３０を形成する。一例において、第２電極１３０は、マスク（図１１を用いて詳細を後述する。）を用いた蒸着によって形成することもできる。
【００７６】
次いで、第２電極１３０を覆うように封止層２００を形成する。一例において、封止層２００は、ＡＬＤによって形成することができる。
【００７７】
次いで、接着層３１０を介して支持基板３００と基板１００を貼り合わせる。
【００７８】
このようにして、図１から図８に示した発光部材１０が製造される。
【００７９】
有機層１２０及び第２電極１３０の蒸着には、図１１に示したマスク４００を用いることができる。マスク４００は、カバー４１０を有しており、カバー４１０は、開口４１２を有している。マスク４００は、開口４１２内にカバー４２４を有しており、カバー４２４は、梁４２２によってカバー４１０に支持されている。
【００８０】
有機層１２０及び第２電極１３０は、マスク４００を用いて蒸着することができる。具体的には、有機層１２０及び第２電極１３０は、マスク４００の開口４１２を介して基板１００上に蒸着される。さらに、開口４１２内のカバー４２４によって、開口１８及び開口１８の周囲への有機層１２０及び第２電極１３０の蒸着を防ぐことができる。
【００８１】
図１１に示すマスク４００を用いる場合、発光部材１０の第１端部１８ａと第２端部１８ｂの間の隙間は、一の発光部材１０を他の発光部材１０の開口１８に通すための隙間（例えば、図１又は図２を参照）として機能するだけでなく、マスク４００の梁４２２を設けるための領域としても機能している。具体的には、カバー４２４を開口４１２内に配置するためには梁４２２によってカバー４２４をカバー４１０に支持する必要がある一方で、梁４２２と重なる領域には有機層１２０及び第２電極１３０を蒸着させることができない。しかしながら、図１から図８に示した発光部材１０においては、第１端部１８ａと第２端部１８ｂの間の隙間及びその近傍には、有機層１２０及び第２電極１３０を蒸着させる必要がなく、したがって、梁４２２を設けることができる。
【００８２】
以上、本実施形態によれば、発光装置２０に立体感を与えることができる。
【００８３】
（変形例１）
図１２は、変形例１に係る発光装置２０を示す図である。本変形例に係る発光装置２０は、以下の点を除いて、実施形態に係る発光装置２０と同様である。
【００８４】
発光装置２０は、５つの発光部材１０を備えており、５つの発光部材１０は、オリンピックエンブレム（五輪）を形成するように並んでいる。
【００８５】
各発光部材１０は、実施形態に係る発光部材１０と同様にして、開口１８、第１端部１８ａ、第２端部１８ｂ、内縁１８ｃ、外縁１８ｄ及び発光部１４０を有している。各発光部材１０は、開口１８を画定するように第１端部１８ａから第２端部１８ｂにかけて延在している。発光部１４０の外縁は、第１端部１８ａ、第２端部１８ｂ、内縁１８ｃ及び外縁１８ｄに沿っている。
【００８６】
複数の発光部材１０は、第１発光部材１０ａ及び第２発光部材１０ｂを含んでおり、実施形態と同様にして、第１発光部材１０ａは、第１領域１６ａ及び第２領域１６ｂを有しており、第１発光部材１０ａの第１領域１６ａは、第２発光部材１０ｂの第２面１４側に位置しており、第１発光部材１０ａの第２領域１６ｂは、第２発光部材１０ｂの第１面１２側に位置している。したがって、発光装置２０は、立体感を有するようになる。
【００８７】
（変形例２）
図１及び図２を用いて変形例２に係る発光装置２０について説明する。
【００８８】
変形例２において、各発光部材１０の第１面１２側からは見えない部分、つまり、第１発光部材１０ａの第１領域１６ａ（第２発光部材１０ｂの第１面１２側から見て、第２発光部材１０ｂの背後に隠れている部分）及び第２発光部材１０ｂの第４領域１６ｄ（第１発光部材１０ａの第１面１２側から見て、第１発光部材１０ａの背後に隠れている部分）は、発光しないようになっていてもよい。当該部分は、各発光部材１０の第１面１２側からは見えないため、仮に当該部分が発光しなくとも発光装置２０の美観にはほとんど影響がない。さらに、当該部分を発光させないことにより、各発光部材１０の発光面積を小さくすることができ、発光装置２０の消費電力を抑えることができる。また、光が重なった部分の発熱を抑制することもできる。
【００８９】
以上、図面を参照して実施形態及び実施例について述べたが、これらは本発明の例示であり、上記以外の様々な構成を採用することもできる。
【００９０】
この出願は、２０１７年５月１５日に出願された日本出願特願２０１７−０９６３３２号を基礎とする優先権を主張し、その開示の全てをここに取り込む。
【図１】
2018212035.tif 000003
【図２】
2018212035.tif 000004
【図３】
2018212035.tif 000005
【図４】
2018212035.tif 000006
【図５】
2018212035.tif 000007
【図６】
2018212035.tif 000008
【図７】
2018212035.tif 000009
【図８】
2018212035.tif 000010
【図９】
2018212035.tif 000011
【図１０】
2018212035.tif 000012
【図１１】
2018212035.tif 000013
【図１２】
2018212035.tif 000014
【国際調査報告】
2018212035.tif 000015
2018212035.tif 000016
2018212035.tif 000017
2018212035.tif 000018